(57)【要約】【課題】専用の冶具を必要とせず、組み付けた後においてもレンズ保持体を支持するばね部材の変形を防止すること。【解決手段】レンズ体を保持すると共に外周面から外側に突出する突出部３３ａ〜３３ｄが設けられたレンズホルダ３と、装置本体の筐体に取り付けられ、レンズホルダ３を支持する下側板ばね７、上側板ばね８と、筐体に設けられ、突出片３３ａ〜３３ｄと係合してレンズホルダ３の回転を規制する回転規制手段とを具備することを特徴とする。【選択図】図１
2010217576.tif 000002
【特許請求の範囲】
【請求項１】
レンズ体を保持すると共に外周面から外側に突出する突出部が設けられたレンズ保持体と、装置本体の筐体に取り付けられ、前記レンズ保持体を支持するばね部材と、前記筐体に設けられ、前記突出部と係合して前記レンズ保持体の回転を規制する回転規制手段とを具備することを特徴とするレンズ駆動装置。
【請求項２】
前記回転規制手段は、前記突出部を収容可能な凹部で構成され、前記レンズ保持体の回転に応じて前記突出部を前記凹部の内壁に当接させて当該レンズ保持体の回転を規制することを特徴とする請求項１記載のレンズ駆動装置。
【請求項３】
磁石、コイル及びヨークを有し、前記レンズ保持体を光軸方向に沿って移動させる移動機構を具備し、前記ヨークで前記筐体の一部を構成すると共に当該ヨークに前記回転規制手段を設けたことを特徴とする請求項１又は請求項２記載のレンズ駆動装置。
【発明の詳細な説明】
【技術分野】
【０００１】
本発明は、レンズ駆動装置に関し、特に、デジタルカメラにおけるオートフォーカス機構等に好適なレンズ駆動装置に関する。
【背景技術】
【０００２】
従来、デジタルカメラにおけるオートフォーカス機構等に用いられるレンズ駆動装置において、レンズ保持体にレンズ体を組み付ける際に、レンズ保持体を筐体に連結する円環形状のばね部材の変形を防止するものが知られている（例えば、特許文献１参照）。このレンズ駆動装置においては、レンズ体とばね部材とを筐体に組み込んだ後、治具のピンをレンズ支持体及びばね部材に設けた挿通部に嵌合させて筐体に対するレンズ支持体の回転を規制した状態でレンズ保持体にレンズ体を組み付けている。
【先行技術文献】
【特許文献】
【０００３】
【特許文献１】特開２００６−２８４６５２号公報
【発明の概要】
【発明が解決しようとする課題】
【０００４】
しかしながら、上述したレンズ駆動装置においては、筐体に対するレンズ保持体の回転を規制するための専用の治具が必要となる。また、レンズ保持体にレンズ体を組み付けた後においては、レンズ保持体は円環形状のばね部材のみによって筐体に支持されることから、装置に落下等で衝撃が加わった場合に板ばねが変形してしまう恐れがある。
【０００５】
本発明は、かかる実情に鑑みてなされたものであり、組み付ける際に専用の冶具を必要とせず、組み付けた後においてもレンズ保持体を支持するばね部材の変形を防止することができるレンズ駆動装置を提供することを目的とする。
【課題を解決するための手段】
【０００６】
本発明のレンズ駆動装置は、レンズ体を保持すると共に外周面から外側に突出する突出部が設けられたレンズ保持体と、装置本体の筐体に取り付けられ、前記レンズ保持体を支持するばね部材と、前記筐体に設けられ、前記突出部と係合して前記レンズ保持体の回転を規制する回転規制手段とを具備することを特徴とする。
【０００７】
上記レンズ駆動装置によれば、装置本体の筐体に設けられた回転規制手段により、レンズ体を保持するレンズ保持体の回転が規制されることから、レンズ保持体にレンズ体を組み付ける際、或いは、組み付けた後においてレンズ保持体が回転するのを装置本体の筐体で規制することができるので、組み付ける際に専用の冶具を必要とせず、組み付けた後においてもレンズ保持体を支持するばね部材の変形を防止することが可能となる。
【０００８】
上記レンズ駆動装置において、前記回転規制手段は、前記突出部を収容可能な凹部で構成され、前記レンズ保持体の回転に応じて前記突出部を前記凹部の内壁に当接させて当該レンズ保持体の回転を規制することが好ましい。この場合には、レンズ保持体に設けられた突出部を収容する凹部を筐体に設けるだけで簡単にレンズ保持体の回転を規制することが可能となる。
【０００９】
上記レンズ駆動装置においては、磁石、コイル及びヨークを有し、前記レンズ保持体を光軸方向に沿って移動させる移動機構を具備し、前記ヨークで前記筐体の一部を構成すると共に当該ヨークに前記回転規制手段を設けることが好ましい。この場合には、移動機構のヨークで筐体の一部を構成し、このヨークに回転規制手段が設けられることから、移動機構のヨークに複数の機能を持たせることができ、装置本体の構成を簡素化すると共に、装置本体を小型化することが可能となる。
【発明の効果】
【００１０】
本発明によれば、装置本体の筐体に設けられた回転規制手段により、レンズ体を保持するレンズ保持体の回転を規制するようにしたことから、レンズ保持体にレンズ体を組み付ける際、或いは、組み付けた後においてレンズ保持体が回転するのを装置本体の筐体で規制することができるので、組み付ける際に専用の冶具を必要とせず、組み付けた後においてもレンズ保持体を支持するばね部材の変形を防止することが可能となる。
【図面の簡単な説明】
【００１１】
【図１】本発明の一実施の形態に係るレンズ駆動装置の分解斜視図である。
【図２】上記実施の形態に係るレンズ駆動装置が有するベース部材の斜視図である。
【図３】上記実施の形態に係るレンズ駆動装置の斜視図である。
【図４】上記実施の形態に係るレンズ駆動装置の側面図である。
【図５】図３に示す状態からカバー部材を取り外したレンズ駆動装置の斜視図である。
【図６】図５に示す状態のレンズ駆動装置の上面図である。
【図７】図６に示す状態から上側板ばね及び調整板を取り外した状態のレンズ駆動装置の上面図である。
【発明を実施するための形態】
【００１２】
以下、本発明の一実施の形態について添付図面を参照して詳細に説明する。図１は、本発明の一実施の形態に係るレンズ駆動装置の分解斜視図である。図１に示すように、本実施の形態に係るレンズ駆動装置１は、装置の底面部を構成するベース部材２と、不図示のレンズ体を保持するレンズ保持体としてのレンズホルダ３と、このレンズホルダ３を光軸方向に移動させる移動機構を構成する磁石４ａ〜４ｄ、コイル５及びヨーク６と、レンズホルダ３をベース部材２及びヨーク６に弾性的に固定する一対のばね部材としての板ばね（下側板ばね７、上側板ばね８）と、調整板９を挟んで上側板ばね８をヨーク６に固定するカバー部材１０とを含んで構成される。
【００１３】
ベース部材２は、例えば、絶縁性の樹脂材料で形成され、矩形状に設けられている。詳細について後述するように、ベース部材２には、後述する金属板材１１がその一部を露出した状態でインサート成型されている。ベース部材２の中央近傍には、不図示のイメージセンサに対応する位置に円形状の開口部２１が形成されている。また、ベース部材２の四隅部には、ヨーク６の内壁に嵌合する嵌合片２２ａ〜２２ｄが立設されている。これらの嵌合片２２ａ〜２２ｄの下方部分からは、後述する金属板材１１の固定部１１１ａ〜１１１ｄが突出して設けられている（図１において、固定部１１１ｄは不図示）。また、これらの嵌合片２２ａ〜２２ｄの近傍には、ヨーク６及び下側板ばね７の位置決めを行う位置決め片２３ａ〜２３ｄが立設されている。なお、このベース部材２は、レンズ駆動装置１の筐体の一部を構成する。
【００１４】
レンズホルダ３は、例えば、絶縁性の樹脂材料で形成され、概して円筒形状に設けられている。レンズホルダ３の内周には、ねじ溝が設けられ、不図示のレンズ体をねじ込み可能に設けられている。レンズホルダ３の外周には、コイル５の内周部に嵌合し、コイル５を保持する４つの保持片３１ａ〜３１ｄが設けられている（図１において、保持片３１ｃ、３１ｄは不図示）。これらの保持片３１ａ〜３１ｄの上端には、コイル５の上方側への移動を規制し、その位置決めを行う位置決め片３２ａ〜３２ｄが設けられている。また、これらの位置決め片３２ａ〜３２ｄの上方には、レンズホルダ３の外周面から径方向に突出する突出片３３ａ〜３３ｄが設けられている。さらに、これらの突出片３３ａ〜３３ｄの上端には、上側板ばね８の位置決めを行う位置決め片３４ａ〜３４ｄが設けられている。これらの位置決め片３４ａ〜３４ｄは、突出片３３ａ〜３３ｄから上方側に向けて立設され、後述する上側板ばね８の切り欠き部８２ａと係合可能に構成されている。
【００１５】
磁石４ａ〜４ｄは、それぞれ直交する一対の側面部４１、４２と、円弧形状を有する内周面部４３とを有しており、ヨーク６の四隅部分に固定される。この場合、磁石４ａ〜４ｄは、側面部４１、４２をヨーク６の四隅の内壁面に対向させると共に、内周面部４３を後述するヨーク６の垂下壁面６３ａ〜６３ｄの内壁面に一定距離を挟んで対向させた状態で固定される。例えば、磁石４ａ〜４ｄは、側面部４１、４２を接着剤等により接着することによって、ヨーク６の四隅部分に固定される。
【００１６】
コイル５は、円環形状に束ねられ、上述したレンズホルダ３の保持片３１ａ〜３１ｄによりその内周部が保持される。保持片３１ａ〜３１ｄは、レンズホルダ３の外周面よりも僅かに径方向に突出形成されているため、これらの保持片３１ａ〜３１ｄが存在しない部分において、コイル５は、レンズホルダ３の外周面と一定距離だけ離間した状態で配置されている。このようにレンズホルダ３に保持された状態において、コイル５の外周面は、磁石４ａ〜４ｄの内周面部４３に対向配置される一方、その内周面は、ヨーク６の垂下壁面６３ａ〜６３ｄの内壁面に対向配置されている。
【００１７】
ヨーク６は、金属材料を機械加工することで形成され、図１に示す下方側に開口した箱形状を有している。また、ヨーク６は、概して矩形状に設けられ、その中央に円形状の開口部６１が設けられている。ヨーク６の四隅における下端部分には、僅かに側方側に突出する固定片６２ａ〜６２ｄが設けられている（図１において、固定片６２ｄは不図示）。これらの固定片６２ａ〜６２ｄの外形寸法は、ベース部材２の四隅部分から突出する金属板材１１の固定部１１１ａ〜１１１ｄの外形寸法と一致するように設けられている。また、開口部６１の周縁部におけるヨーク６の四隅部分に対応する位置には、垂下壁面６３ａ〜６３ｄが垂下して設けられている（図１において、垂下壁面６３ｂは不図示）。これらの垂下壁面６３ａ〜６３ｄは、レンズホルダ３を収容した状態において、レンズホルダ３の外周面とコイル５の内周面との間に配置される。さらに、開口部６１の周縁部における垂下壁面６３ａ〜６３ｄの間の位置には、レンズホルダ３の突出片３３ａ〜３３ｄを収容可能な凹部６４ａ〜６４ｄが設けられている。そして、これらの凹部６４ａ〜６４ｄの側方には、僅かに開口部６１の内側に向けて突出する一対の当接片６５ａ〜６５ｄが設けられている。さらに、ヨーク６の上面における四隅部分の近傍には、後述するカバー部材１０の固定ピン１０２が挿入される孔６６ａ〜６６ｄが設けられている。なお、このヨーク６は、レンズ駆動装置１の筐体の一部を構成する。
【００１８】
下側板ばね７は、例えば、リン青銅等の導電性材料で構成され、ベース部材２に固定される一対の外側固定部７１と、レンズホルダ３の下面に固定される一対の内側固定部７２と、これらの外側固定部７１と内側固定部７２とを連結する４本の腕部７３とを有している。外側固定部７１の所定位置には複数の孔７１ａが設けられ、これらの孔７１ａにベース部材２の位置決め片２３ａ〜２３ｄが挿通された状態で下側板ばね７がベース部材２に固定されている。また、内側固定部７２の所定位置には複数の孔７２ａが設けられ、これらの孔７２ａにレンズホルダ３の下面に設けられた固定片が挿通された状態で下側板ばね７がレンズホルダ３に固定されている。腕部７３は、ベース部材２の四隅部分に対応する外側固定部７１の位置から複数回折り返して内側固定部７２に連結されている。
【００１９】
上側板ばね８は、下側板ばね７と同様に、例えば、リン青銅等の導電性材料で構成され、ヨーク６の上面に固定される環形状を有する外側固定部８１と、レンズホルダ３の上面に固定される円環形状を有する内側固定部８２と、これらの外側固定部８１と内側固定部８２とを連結する４本の腕部８３とを有している。外側固定部８１の所定位置には４つの孔８１ａが設けられ、これらの孔８１ａに後述するカバー部材１０の固定ピン１０２が挿通された状態で上側板ばね８がヨーク６に固定されている。また、内側固定部８２の所定位置には４つの切り欠き部８２ａが設けられ、これらの切り欠き部８２ａにレンズホルダ３の位置決め片３４ａ〜３４ｄを収容した状態で上側板ばね８がレンズホルダ３に固定されている。腕部８３は、ヨーク６の四隅部分に対応する外側固定部８１の位置から複数回折り返して内側固定部８２に連結されている。
【００２０】
調整板９は、例えば、金属製の薄板材料で形成され、上側板ばね８の外側固定部８１と略同一の環形状を有している。調整板９におけるヨーク６の四隅部分に対応する位置には４つの孔９１が設けられ、これらの孔９１に後述するカバー部材１０の固定ピン１０２が挿通された状態で、調整板９は、上側板ばね８に重ねてヨーク６に固定される。
【００２１】
カバー部材１０は、金属材料を機械加工することで形成されている。カバー部材１０は、概して矩形状に設けられ、その中央に円形状の開口部１０１が設けられている。カバー部材１０は、ヨーク６の上面の外形と略同一の形状を有しており、開口部１０１がヨーク６の開口部６１に臨むように構成されている。カバー部材１０の下面であって、その四隅部分に対応する位置には、上側板ばね８及び調整板９をヨーク６の上面に固定する４本の固定ピン１０２が設けられている。
【００２２】
ここで、本実施の形態に係るレンズ駆動装置１が有するベース部材２にインサート成型される金属板材１１の構成について説明する。図２は、本実施の形態に係るレンズ駆動装置１が有するベース部材２の斜視図である。なお、図２においては、説明の便宜上、ベース部材２にインサート成型される金属板材１１を抜き出して示している。
【００２３】
図２に示すように、ベース部材２にインサート成型される金属板材１１は、例えば、洋白、りん青銅、下地としてニッケルめっきを施した上に金めっきを施したステンレス等の半田濡れ性に優れた金属材料で構成され、上面視にて概してコ字形状を有する第１板状部材１１１と、この第１板状部材１１１の両端部の下方領域に配置される一対の第２板状部材１１２とから構成されている。第１板状部材１１１においては、ベース部材２の四隅部分に対応する位置に固定部１１１ａ〜１１１ｄが設けられている。これらの固定部１１１ａ〜１１１ｄは、ベース部材２の嵌合片２２ａ〜２２ｄの下方部分から側方側に突出するものとなっている。また、固定部１１１ａ、１１１ｂの近傍には、接地片１１１ｅ、１１１ｆが設けられている。これらの接地片１１１ｅ、１１１ｆは、ベース部材２の嵌合片２２ａと嵌合片２２ｂとの間に配置される側面部から側方側に突出すると共に、下方側に折曲して延出するものとなっている。
【００２４】
一対の第２板状部材１１２は、それぞれ下側板ばね７を介してコイル５と電気的に接続するための接続片１１２ａと、レンズ駆動装置１が実装される基板等との外部端子として機能する接続片１１２ｂとを有している。接続片１１２ａは、ベース部材２の嵌合片２２ａと嵌合片２２ｂとの間の位置で、ベース部材２の上面から露出するものとなっている（図１参照）。接続片１１２は、それぞれ固定部１１１ｃ、１１１ｄの下方側の位置に配置され、ベース部材２の嵌合片２２ｃと嵌合片２２ｄとの間に配置される側面部から側方側に突出すると共に、下方側に折曲して延出するものとなっている。
【００２５】
このような構成を有するレンズ駆動装置１を組み立てる際には、コイル５を保持させた状態のレンズホルダ３を下側板ばね７を介してベース部材２に固定し、レンズホルダ３が開口部６１の内側に配置されるように、四隅部分の内壁に磁石４ａ〜４ｄが固定されたヨーク６をベース部材２に固定する。そして、切り欠き部８２ａでレンズホルダ３の位置決め片３４ａ〜３４ｄを収容するようにレンズホルダ３及びヨーク６の上面に上側板ばね８を載置すると共に、この上側板ばね８に合わせて調整板９を載置する。その後、上側板ばね８、調整板９の孔８１ａ、９１を介して固定ピン１０２がヨーク６の孔６６ａ〜６６ｄに挿入されるようにカバー部材１０を固定する。これにより、レンズ駆動装置１の組立作業が完了し、図３及び図４に示した状態のレンズ駆動装置１が完成する。
【００２６】
ベース部材２に固定する際、ヨーク６は、その嵌合片２２ａ〜２２ｄがヨーク６の四隅部分の内壁にそれぞれ嵌合するように被せられる。このとき、ヨーク６の固定片６２ａ〜６２ｄは、図３及び図４に示すように、ベース部材２の四隅部分から突出した金属板材１１の固定部１１１ａ〜１１１ｄの上に重ねられた状態とされる。そして、これらの固定片６２ａ〜６２ｄと、固定部１１１ａ〜１１１ｄとを溶接により接合させることでベース部材２にヨーク６が固定される。この場合において、金属板材１１は、上述したように、半田濡れ性に優れた金属材料で構成されていることから、金属板材１１とヨーク６との良好な接合状態を確保することができ、確実にヨーク６をベース部材２に固定することが可能となっている。
【００２７】
このように本実施の形態に係るレンズ駆動装置１においては、ベース部材２にインサート成型した金属板材１１の一部を露出させ、その露出した部分にヨーク６の一部を溶接接合することにより、ベース部材の樹脂部分を基準にヨークの位置決めが行われる従来のレンズ駆動装置に比べて、ヨーク６が固定される基準面の平坦度を確保することができるので、レンズホルダ３に保持されるレンズ体の位置を高精度に設定することが可能となっている。また、ヨークを固定したシールドケースをベース部材に対して接着固定する従来のレンズ駆動装置に比べて、ヨーク６の固定に要する時間を短縮でき、レンズ駆動装置１の製造に要する時間を短縮化することが可能となっている。
【００２８】
また、ベース部材２の四隅部から金属板材１１の固定部１１１ａ〜１１１ｄを露出させ、これらの固定部１１１ａ〜１１１ｄにヨーク６の固定片６２ａ〜６２ｄを固定することから、デッドスペースを利用してベース部材２にヨーク６を固定することができるので、金属板材１１を用いて固定する場合においても装置本体が大型化するのを防止することが可能となっている。
【００２９】
さらに、金属板材１１に接地片１１１ｅ、１１１ｆを設け、ベース部材２とヨーク６とを接合した後に、金属板材１１を介してヨーク６を接地させていることから、ベース部材２にインサート成型した金属板材１１を介してヨーク６を接地させることができるので、別途、ヨーク６を接地させるための構成を設ける必要がなく、装置本体の構成を簡素化することが可能となっている。
【００３０】
そして、組み立てられた状態において、レンズ駆動装置１は、図３に示すように、カバー部材１０の開口部１０１の内部にレンズホルダ３が配置されている。レンズホルダ３は、下側板ばね７によりベース部材５に固定される一方、上側板ばね８によりヨーク６に固定され、これらの上側板ばね８及び下側板ばね７の付勢力によって初期位置に保持された状態となっている。不図示のレンズ体は、このレンズホルダ３に図３に示す上方側からねじ込むことで組み付けられ、このレンズホルダ３と一体的に移動可能に構成される。
【００３１】
レンズホルダ３の外周面に保持されたコイル５に電流を流すと、コイル５に流れる電流が磁石４ａ〜４ｄから発生する磁界と作用することにより、コイル５を図３に示す上下方向に移動させる推力が発生する。本実施の形態に係るレンズ駆動装置１においては、例えば、装置本体を搭載する携帯電話やデジタルカメラの制御部からの駆動指示に応じてコイル５に流す電流量を制御することによってこの推力を制御し、コイル５を上下移動させ、その位置決めを行う。これにより、コイル５が保持されるレンズホルダ３の位置決めを行うと共に、レンズホルダ３に組み付けられたレンズ体の位置決めを行うことが可能となっている。
【００３２】
本実施の形態に係るレンズ駆動装置１において、レンズホルダ３に対するレンズ体の組み付け作業は、レンズホルダ３の外周面に設けられた複数の突出片３３ａ〜３３ｄを、ヨーク６の開口部６１の周縁部に設けられた当接片６５ａ〜６５ｄと係合させ、レンズホルダ３の回転を規制した状態で行われる。このようにレンズホルダ３の突出片３３ａ〜３３ｄを、ヨーク６の当接片６５ａ〜６５ｄと係合させることにより専用の治具などを必要とせずに簡単にレンズホルダ３にレンズ体を組み付けることが可能となっている。
【００３３】
ここで、レンズホルダ３の突出片３３ａ〜３３ｄと、ヨーク６の当接片６５ａ〜６５ｄとの関係について図５〜図７を参照しながら説明する。図５は、図３に示す状態からカバー部材１０を取り外したレンズ駆動装置１の斜視図である。図６は、図５に示す状態のレンズ駆動装置１の上面図である。図７は、図６に示す状態から上側板ばね８及び調整板９を取り外した状態のレンズ駆動装置１の上面図である。
【００３４】
図５及び図６に示すように、上側板ばね８は、レンズホルダ３の上面に設けられた位置決め片３４ａ〜３４ｄを切り欠き部８２ａで収容した状態でヨーク６の上面に保持されている。調整板９は、概して上側板ばね８の外側固定部８１の上方に重ねられている。位置決め片３４ａ〜３４ｄの下方に配置される突出片３３ａ〜３３ｄは、図７に示すように、ヨーク６の開口部６１の周縁部に設けられた凹部６４ａ〜６４ｄに収容されている。そして、これらの凹部６４ａ〜６４ｄの側方に形成された一対の当接片６５ａ〜６５ｄが、突出片３３ａ〜３３ｄにおける径方向に延出する側面（以下、「突出片３３ａ〜３３ｄの側面」という）と若干の間隙を挟んで対向して配置されている。
【００３５】
レンズホルダ３に対してレンズ体を組み付ける際には、レンズ体の回転動作に応じてレンズホルダ３も一緒に回転しようとする。この場合において、レンズホルダ３の突出片３３ａ〜３３ｄは、凹部６４ａ〜６４ｄに収容されていることから、レンズホルダ３が回転すると、当接片６５ａ〜６５ｄが突出片３３ａ〜３３ｄの側面と係合（当接）し、レンズホルダ３の回転を規制する。すなわち、これらの当接片６５ａ〜６５ｄは、レンズホルダ３にレンズ体を組み付ける際にレンズホルダ３の回転を規制する回転規制手段として機能する。そして、このようにレンズホルダ３の回転が規制された状態において、レンズホルダ３にレンズ体が組み付けられる。これにより、専用の治具等によりレンズホルダ３の回転を規制することなく、簡単にレンズ体をレンズホルダ３に組み付けることが可能となる。
【００３６】
レンズ体をレンズホルダ３に組み付けた後、これを回転させる力から解放されると、レンズホルダ３は、下側板ばね７及び上側板ばね８の付勢力により初期位置（図７に示す状態）に復帰することとなる。そして、上述したように、コイル５に対して流す電流を制御することにより、レンズホルダ３（に組み付けられたレンズ体）を光軸方向（図７に示す紙面前後方向）に移動させることが可能となる。
【００３７】
このように光軸方向にレンズホルダ３を移動させる過程、或いは、移動させた後において、仮に、落下等によりレンズホルダ３に衝撃が加わった場合、ヨーク６の当接片６５ａ〜６５ｄは、突出片３３ａ〜３３ｃと当接してレンズホルダ３の回転を規制する。これにより、レンズホルダ３が制限なく回転してしまう場合と比べて、レンズホルダ３に固定された下側板ばね７、上側板ばね８に加わる負荷を軽減でき、これらが変形する事態を防止することが可能となっている。
【００３８】
このように本実施の形態に係るレンズ駆動装置１においては、装置本体の筐体の一部を構成するヨーク６に回転規制手段としての凹部６４ａ〜６４ｄを設け、これらの凹部６４ａ〜６４ｄにより、レンズホルダ３の回転が規制されることから、レンズホルダ３にレンズ体を組み付ける際、或いは、組み付けた後においてレンズホルダ３が回転するのをヨーク６で規制することができるので、組み付ける際に専用の冶具を必要とせず、組み付けた後においてもレンズホルダ３を支持するばね部材（下側板ばね７、上側板ばね８）の変形を防止することが可能となる。
【００３９】
特に、レンズホルダ３の回転を規制する回転規制手段を、突出片３３ａ〜３３ｄを収容可能な凹部６４ａ〜６４ｄで構成し、レンズホルダ３の回転に応じて突出片３３ａ〜３３ｄを凹部６４ａ〜６４ｄの内壁（すなわち、当接部６５ａ〜６５ｄの凹部６４ａ〜６４ｄ側の内壁）に当接させてレンズホルダ３の回転を規制していることから、突出部３３ａ〜３３ｄを収容する凹部６４ａ〜６４ｄをヨーク６に設けるだけで簡単にレンズホルダ３の回転を規制することが可能となる。
【００４０】
また、レンズホルダ３を光軸方向に移動させる移動機構を構成するヨーク６で筐体の一部を構成し、このヨーク６に上述した回転規制手段を設けるようしていることから、このヨーク６に複数の機能を持たせることができ、装置本体の構成を簡素化すると共に、装置本体を小型化することが可能となる。
【００４１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４２】
例えば、上記実施の形態においては、レンズ駆動装置１の筐体の一部をヨーク６で構成する場合について説明しているが、筐体の構成についてはこれに限定されるものではない。例えば、ヨーク６とは別に筐体としてのケース等を具備するようにしても良い。この場合には、ヨーク６に持たせていたレンズホルダ３の回転規制機能をそのケース等に移すことも可能である。
【符号の説明】
【００４３】
１  レンズ駆動装置
２  ベース部材
２１  開口部
２２ａ〜２２ｄ  嵌合片
２３ａ〜２３ｄ  位置決め片
３  レンズホルダ
３１ａ〜３１ｄ  保持片
３２ａ〜３２ｄ  位置決め片
３３ａ〜３３ｄ  突出片
３４ａ〜３４ｄ  位置決め片
４ａ〜４ｄ  磁石
４１、４２  側面部
４３  内周面部
５  コイル
６  ヨーク
６１  開口部
６２ａ〜６２ｄ  固定片
６３ａ〜６３ｄ  垂下壁面
６４ａ〜６４ｄ  凹部
６５ａ〜６５ｄ  当接片
６６ａ〜６６ｄ  孔
７  下側板ばね
７１  外側固定部
７１ａ  孔
７２  内側固定部
７２ａ  孔
７３  腕部
８  上側板ばね
８１  外側固定部
８１ａ  孔
８２  内側固定部
８２ａ  切り欠き部
８３  腕部
９  調整板
９１  孔
１０  カバー部材
１０１  開口部
１０２  固定ピン
１１  金属板材
１１１  第１板状部材
１１１ａ〜１１１ｄ  固定部
１１１ｅ、１１１ｆ  接地片
１１２  第２板状部材
１１２ａ、１１２ｂ  接続片
【図１】
2010217576.tif 000003
【図２】
2010217576.tif 000004
【図３】
2010217576.tif 000005
【図４】
2010217576.tif 000006
【図５】
2010217576.tif 000007
【図６】
2010217576.tif 000008
【図７】
2010217576.tif 000009